(57)【要約】  本出願の実施例に係る無線バックホールネットワークを介してデータを伝送する方法および装置は、現在５Ｇ無線バックホールネットワークのネットワークアーキテクチャがなく、５Ｇ無線バックホールネットワークのデータ伝送を実現できないという従来技術に存在する問題を解決するために用いられること。本出願の実施例に係る端末はベアラに対応する少なくとも１つの経路を介して有線バックホールアクセス局に接続し、かつ少なくとも１つの経路を介して有線バックホールアクセス局との間でデータを伝送し、いずれの経路にも少なくとも１つの無線バックホールアクセス局があり、端末、有線バックホールアクセス局および無線バックホールアクセス局の各エアインターフェースにそれぞれ１組の下位層プロトコルの組み合わせが対応し、下位層プロトコルの組み合わせはＲＬＣ層、ＭＡＣ層およびＰＨＹを含む。本出願に係る実施例は５Ｇ無線バックホールネットワークのネットワークアーキテクチャを提案し、端末は少なくとも１つの経路を介して有線バックホールアクセス局との間でデータを伝送することにより、５Ｇ無線バックホールネットワークのデータ伝送を実現し、５Ｇ無線バックホールネットワークの機能を高めた。
2021508978.tif 000002
【特許請求の範囲】
【請求項１】
端末はベアラに対応する少なくとも１つの経路を介して有線バックホールアクセス局に接続することと、
前記端末は前記少なくとも１つの経路を介して前記有線バックホールアクセス局とデータを伝送することと、を含み、そのうち、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせは無線リンク制御（ＲＬＣ）層、メディアアクセス制御（ＭＡＣ）層および物理層（ＰＨＹ）を含む、
ことを特徴とする無線バックホールネットワークを介してデータを伝送する方法。
【請求項２】
前記端末のパケットデータコンバージェンスプロトコル（ＰＤＣＰ）層は前記有線バックホールアクセス局のＰＤＣＰ層と同等である、
ことを特徴とする請求項１に記載の方法。
【請求項３】
前記端末が前記少なくとも１つの経路を介して前記有線バックホールアクセス局とデータを伝送することは、
前記端末は前記ＰＤＣＰにより経路分散操作を行うこと、
をさらに含むことを特徴とする請求項２に記載の方法。
【請求項４】
前記端末が少なくとも２つの経路を介して有線バックホールアクセス局に接続する場合、前記端末は１つの無線バックホールアクセス局に接続し、前記無線バックホールアクセス局に接続された少なくとも２つの経路を介して前記有線バックホールアクセス局に接続し、さらに／或いは
前記端末が少なくとも２つの経路を介して有線バックホールアクセス局に接続する場合、前記端末は少なくとも２つの無線バックホールアクセス局に接続し、各前記無線バックホールアクセス局に接続された少なくとも１つの経路を介して前記有線バックホールアクセス局に接続する、
ことを特徴とする請求項１に記載の方法。
【請求項５】
前記有線バックホールアクセス局は、プライマリ有線バックホールアクセス局およびセカンダリ有線バックホールアクセス局を含み、
前記端末のＰＤＣＰ層は前記プライマリ有線バックホールアクセス局のＰＤＣＰ層と同等である、
ことを特徴とする請求項１に記載の方法。
【請求項６】
前記端末は少なくとも１つの経路を介して有線バックホールアクセス局に接続した後、
前記端末が自身に接続された少なくとも１つの無線バックホールアクセス局との間の経路に対してリンク測定を行い、前記リンク測定の結果を接続された無線バックホールアクセス局に報告するプロセス１と、
前記端末が自身に接続された少なくとも１つの無線バックホールアクセス局との間の経路に対して品質測定を行い、前記品質測定の結果に基づき品質が劣化条件に達したと確定した場合、前記有線バックホールアクセス局に報告するプロセス２と、
前記端末は経路を備えた無線リンク制御（ＲＬＣ）伝送が最大再送回数に達した場合、前記有線バックホールアクセス局に報告するプロセス３と、のうちの一部または総てを実行する、
ことを特徴とする請求項１に記載の方法。
【請求項７】
前記端末が少なくとも１つの経路を介して有線バックホールアクセス局に接続した後に、
前記端末は接続された有線バックホールアクセス局に変化が発生した場合、ハンドオーバプロセスを行い、ＰＤＣＰ層および下位層プロトコルの組み合わせに対して再確立（ｒｅ−ｅｓｔａｂｌｉｓｈ）プロセスを行うこと、または
前記端末は接続された有線バックホールアクセス局に変化が発生していない場合、ＰＤＣＰ層に対するＰＤＣＰデータ復旧（ｄａｔａ  ｒｅｃｏｖｅｒｙ）プロセス及び／又は下位層プロトコルの組み合わせに対するｒｅ−ｅｓｔａｂｌｉｓｈプロセスを行うこと、
をさらに含むことを特徴とする請求項１から６のいずれかに記載の方法。
【請求項８】
有線バックホールアクセス局はベアラに対応する少なくとも１つの経路を介して端末に接続することと、
前記有線バックホールアクセス局は前記少なくとも１つの経路を介して前記端末とデータを伝送することと、を含み、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する方法。
【請求項９】
前記有線バックホールアクセス局がプライマリ有線バックホールアクセス局である場合、前記端末のＰＤＣＰ層は前記プライマリ有線バックホールアクセス局のＰＤＣＰ層と同等である、
ことを特徴とする請求項８に記載の方法。
【請求項１０】
前記有線バックホールアクセス局がベアラに対応する少なくとも１つの経路を介して端末に接続する前に、
前記有線バックホールアクセス局がそれぞれ前記端末および前記端末との間の経路における無線バックホールアクセス局に構成情報を送信すること、または
前記有線バックホールアクセス局は前記端末との間の経路上の無線バックホールアクセス局に変化が発生したと確定した場合、新しい無線バックホールアクセス局に構成情報を送信し、新しい無線バックホールアクセス局に接続された端末及び／又は無線バックホールアクセス局に構成情報を送信すること、
をさらに含むことを特徴とする請求項８に記載の方法。
【請求項１１】
前記有線バックホールアクセス局がベアラに対応する少なくとも１つの経路を介して端末に接続した後、
前記有線バックホールアクセス局は、前記端末または前記無線バックホールアクセス局から前記品質測定結果に基づき品質が劣化条件に達したと確定、報告する情報を受信した場合、前記端末との間の経路を再構成するかまたは劣化条件に達した経路を開放すること、及び／又は
前記有線バックホールアクセス局は前記端末から経路を備えたＲＬＣ伝送が最大再送回数に達したと報告された場合、前記端末との間の経路を再構成するかまたはＲＬＣ伝送が最大再送回数に達した経路を開放すること、
をさらに含むことを特徴とする請求項８に記載の方法。
【請求項１２】
端末と有線バックホールアクセス局との間の経路に位置する無線バックホールアクセス局は前記経路の両側のノードと接続することと、
前記無線バックホールアクセス局は両側のノード間でデータを伝送することと、を含み、そのうち、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する方法。
【請求項１３】
前記無線バックホールアクセス局が前記端末に接続した場合、前記無線バックホールアクセス局は端末と有線バックホールアクセス局との間の少なくとも１つの経路に位置する、
ことを特徴とする請求項１２に記載の方法。
【請求項１４】
前記無線バックホールアクセス局が両側のノード間でデータを伝送することは、
前記無線バックホールアクセス局は上りデータを受信した後に、前記上りデータを経路における前記有線バックホールアクセス局方向の次のノードである無線バックホールアクセス局または有線バックホールアクセス局に送信すること、及び／又は
前記無線バックホールアクセス局は下りデータを受信した後に、前記下りデータを経路における前記端末方向の次のノードである無線バックホールアクセス局または前記端末に送信すること、
を含むことを特徴とする請求項１２に記載の方法。
【請求項１５】
前記無線バックホールアクセス局が前記上りデータを経路における前記有線バックホールアクセス局の次のノードに送信することは、
前記無線バックホールアクセス局は受信した前記上りデータに対しＲＬＣ層を通じて順序付けを行った後、経路における前記有線バックホールアクセス局の次のノードに送信することを含み、
前記無線バックホールアクセス局が下りデータを受信した後に、前記下りデータを経路における前記端末方向の次のノードに送信することは、
前記無線バックホールアクセス局が受信した前記下りデータに対しＲＬＣ層を通じて順序付けを行った後、経路における前記端末方向の次のノードに送信することを含む、
ことを特徴とする請求項１４に記載の方法。
【請求項１６】
前記無線バックホールアクセス局が受信した構成情報に基づき前記経路の両側のノードと接続を確立すること、
をさらに含むことを特徴とする請求項１２に記載の方法。
【請求項１７】
前記無線バックホールアクセス局は前記経路の両側のノードとの間の経路に対して品質測定を行い、前記品質測定結果に基づき品質が劣化条件に達したと確定した場合、前記有線バックホールアクセス局に報告すること、
をさらに含むことを特徴とする請求項１２から１６のいずれかに記載の方法。
【請求項１８】
プロセッサ、メモリおよび送受信機を含み、
前記プロセッサは、
前記メモリ内のプログラムを読み出し、
ベアラに対応する少なくとも１つの経路を介して有線バックホールアクセス局に接続し、前記少なくとも１つの経路を介して前記有線バックホールアクセス局とデータを伝送するプロセス実行し、そのうち、
いずれの経路にも少なくとも１つの無線バックホールアクセス局があり、前記端末、前記有線バックホールアクセス局および前記無線バックホールアクセス局の各エアインターフェースにそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する端末。
【請求項１９】
前記端末のＰＤＣＰ層は前記有線バックホールアクセス局のＰＤＣＰ層と同等である、
ことを特徴とする請求項１８に記載の端末。
【請求項２０】
前記プロセッサは、さらに前記ＰＤＣＰを通じて経路分散操作を行う、
ことを特徴とする請求項１９に記載の端末。
【請求項２１】
前記プロセッサが少なくとも２つの経路を介して有線バックホールアクセス局に接続した場合、前記プロセッサは１つの無線バックホールアクセス局に接続し、前記無線バックホールアクセス局に接続された少なくとも２つの経路を介して前記有線バックホールアクセス局に接続し、さらに／或いは
前記プロセッサが少なくとも２つの経路を介して有線バックホールアクセス局に接続した場合、前記プロセッサは少なくとも２つの無線バックホールアクセス局に接続し、各前記無線バックホールアクセス局に接続された少なくとも１つの経路を介して前記有線バックホールアクセス局に接続する、
ことを特徴とする請求項１８に記載の端末。
【請求項２２】
前記有線バックホールアクセス局はプライマリ有線バックホールアクセス局およびセカンダリ有線バックホールアクセス局を含み、
前記端末のＰＤＣＰ層は前記プライマリ有線バックホールアクセス局のＰＤＣＰ層と同等である、
ことを特徴とする請求項１８に記載の端末。
【請求項２３】
前記プロセッサは、さらに、
自身に接続された少なくとも１つの無線バックホールアクセス局との間の経路に対してリンク測定を行い、前記リンク測定の結果を、接続された無線バックホールアクセス局に報告するプロセス１と、
自身に接続された少なくとも１つの無線バックホールアクセス局との間の経路に対して品質測定を行い、前記品質測定結果に基づき品質が劣化条件に達したと確定した場合、前記有線バックホールアクセス局に報告するプロセス２と、
経路を備えたＲＬＣ伝送が最大再送回数に達した場合、前記有線バックホールアクセス局に報告するプロセス３と、のうちの一部または総てを実行する、
ことを特徴とする請求項１８に記載の端末。
【請求項２４】
前記プロセッサは、さらに、
接続された有線バックホールアクセス局に変化が発生した場合、ハンドオーバプロセスを行い、ＰＤＣＰ層および下位層プロトコルの組み合わせに対してｒｅ−ｅｓｔａｂｌｉｓｈプロセスを行い、または、
接続された有線バックホールアクセス局に変化が発生していない場合、ＰＤＣＰ層に対するＰＤＣＰ  ｄａｔａ  ｒｅｃｏｖｅｒｙプロセス及び／又は下位層プロトコルの組み合わせに対するｒｅ−ｅｓｔａｂｌｉｓｈプロセスを行う、
ことを特徴とする請求項１８から２３のいずれかに記載の端末。
【請求項２５】
プロセッサ、メモリおよび送受信機を含み、
前記プロセッサは、
前記メモリ内のプログラムを読み出し、
ベアラに対応する少なくとも１つの経路を介して端末に接続し、前記少なくとも１つの経路を介して前記端末とデータを伝送するプロセスを実行し、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する有線バックホールアクセス局。
【請求項２６】
前記有線バックホールアクセス局がプライマリ有線バックホールアクセス局である場合、前記端末のＰＤＣＰ層は前記プライマリ有線バックホールアクセス局のＰＤＣＰ層と同等である、
ことを特徴とする請求項２５に記載の有線バックホールアクセス局。
【請求項２７】
前記プロセッサは、さらに、
それぞれ前記端末および前記端末との間の経路における無線バックホールアクセス局に構成情報を送信し、または
前記端末との間の経路における無線バックホールアクセス局に変化が発生したと確定した場合、新しい無線バックホールアクセス局に構成情報を送信し、新しい無線バックホールアクセス局に接続された端末及び／又は無線バックホールアクセス局に構成情報を送信する、
ことを特徴とする請求項２５に記載の有線バックホールアクセス局。
【請求項２８】
前記プロセッサは、さらに、
前記端末または前記無線バックホールアクセス局から前記品質測定結果に基づき品質が劣化条件に達したと確定、報告する情報を受信した場合、前記端末との間の経路を再構成するかまたは劣化条件に達した経路を釈放し、さらに／或いは
前記端末から経路を備えたＲＬＣ伝送が最大再送回数に達したと報告された場合、前記端末との間の経路を再構成するかまたはＲＬＣ伝送が最大再送回数に達した経路を開放する、
ことを特徴とする請求項２５に記載の有線バックホールアクセス局。
【請求項２９】
前記無線バックホールアクセス局は端末と有線バックホールアクセス局との間の経路に位置し、
前記無線バックホールアクセス局はプロセッサ、メモリおよび送受信機を含み、
前記プロセッサは、
前記メモリ内のプログラムを読み出し、
前記経路の両側のノードに接続し、両側のノード間でデータを伝送するプロセスを実行し、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールアクセス局。
【請求項３０】
前記無線バックホールアクセス局が前記端末に接続した場合、前記無線バックホールアクセス局は端末と有線バックホールアクセス局との間の少なくとも１つの経路に位置する、
ことを特徴とする請求項２９に記載の無線バックホールアクセス局。
【請求項３１】
前記プロセッサは、具体的には、
上りデータを受信した後に、前記上りデータを、経路における前記有線バックホールアクセス局方向の次のノードである無線バックホールアクセス局または有線バックホールアクセス局に送信し、さらに／或いは
下りデータを受信した後に、前記下りデータを、経路における前記端末方向の次のノードである無線バックホールアクセス局または前記端末に送信する、
ことを特徴とする請求項２９に記載の無線バックホールアクセス局。
【請求項３２】
前記プロセッサは、具体的には、
受信した前記上りデータに対しＲＬＣ層を通じて順序付けを行った後に、経路における前記有線バックホールアクセス局の次のノードに送信し、
受信した前記下りデータに対しＲＬＣ層を通じて順序付けを行った後に、経路における前記端末方向の次のノードに送信する、
ことを特徴とする請求項３０に記載の無線バックホールアクセス局。
【請求項３３】
前記プロセッサは、さらに、受信した構成情報に基づき前記経路の両側のノードと接続を確立する、
ことを特徴とする請求項２９に記載の無線バックホールアクセス局。
【請求項３４】
前記プロセッサは、さらに、
前記経路の両側のノードとの間の経路に対して品質測定を行い、前記品質測定結果に基づき品質が劣化条件に達したと確定した場合、前記有線バックホールアクセス局に報告する、
ことを特徴とする請求項２９から３３のいずれかに記載の無線バックホールアクセス局。
【請求項３５】
ベアラに対応する少なくとも１つの経路を介して有線バックホールアクセス局に接続する第１の接続モジュールと、
前記少なくとも１つの経路を介して前記有線バックホールアクセス局とデータを伝送する第１の伝送モジュールと、を含み、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する端末。
【請求項３６】
ベアラに対応する少なくとも１つの経路を介して端末に接続する第２の接続モジュールと、
前記少なくとも１つの経路を介して前記端末とデータを伝送する第２の伝送モジュールと、を含み、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する有線バックホールアクセス局。
【請求項３７】
端末と有線バックホールアクセス局との間の経路に位置し、
前記経路の両側のノードに接続する第３の接続モジュールと、
両側のノード間でデータを伝送する第３の伝送モジュールと、を含み、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する無線バックホールアクセス局。
【請求項３８】
コンピュータプログラムが格納され、
当該プログラムがプロセッサにより実行される際、請求項１から７のいずれかの方法のステップまたは請求項８から１１のいずれかの方法のステップまたは請求項１２から１７のいずれかの方法のステップを実現する、
ことを特徴とするコンピュータ記憶媒体。
【発明の詳細な説明】
【技術分野】
【０００１】
関連出願の相互参照
本出願は、２０１７年１２月２７日に中国特許局に提出し、出願番号が２０１７１１４４６６３６．９であり、発明名称が「無線バックホールネットワークを介してデータを伝送する方法および装置」との中国特許出願を基礎とする優先権を主張し、その開示の総てをここに取り込む。
【０００２】
本出願は無線通信技術分野に関し、特に無線バックホールネットワークを介してデータを伝送する方法および装置に関する。
【背景技術】
【０００３】
将来のモバイル通信システムの発展において、ユーザのニーズにより適切に対応し、ネットワークの容量およびスループットを大幅に向上させるために、より多くの伝送ノードおよびより大きな伝送帯域幅が導入されるに間違いない。５Ｇネットワークにおいて、アクセス局数は大幅に増加するが、総てのアクセス局が有線バックホールの条件を揃えるとは限らないため、無線アクセス局の導入はやむを得ない。５Ｇのより高い伝送速度および伝送遅延の要求に直面して、無線バックホールネットワークにはより高い要件が求められている。
【０００４】
５Ｇシステムにおいて、ネットワーク側のノード間はほとんど有線接続を行う。すなわち、新しい基地局（ＮＲ  ＮｏｄｅＢ、ｇＮＢ）間は有線リンクを介して接続し、例えば、アクセスおよび移動管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）、ユーザプレーン機能（Ｕｓｅｒ  Ｐｌａｎｅ  Ｆｕｎｃｔｉｏｎ、ＵＰＦ）などのような、ｇＮＢとコアネットワークノードとの両者間も有線リンクの接続を用いる。
【０００５】
５Ｇの基本的なユーザプレーンプロトコル層には、シンプル分散ファイルシステムアクセスプロトコル（Ｓｉｍｐｌｅ  ＤＦＳ  Ａｃｃｅｓｓ  Ｐｒｏｔｏｃｏｌ、ＳＤＡＰ）、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）、無線リンク制御（Ｒａｄｉｏ  Ｌｉｎｋ  Ｃｏｎｔｒｏｌ、ＲＬＣ）、メディアアクセス制御（Ｍｅｄｉｕｍ  Ａｃｃｅｓｓ  Ｃｏｎｔｒｏｌ、ＭＡＣ）および物理層（ＰＨＹ）が含まれる。コントロールプレーンプロトコル層には、非アクセス層（Ｎｏｎ−Ａｃｃｅｓｓ  Ｓｔｒａｔｕｍ、ＮＡＳ）、無線リソース制御（Ｒａｄｉｏ  Ｒｅｓｏｕｒｃｅ  Ｃｏｎｔｒｏｌ、ＲＲＣ）、ＰＤＣＰ、ＲＬＣ、ＭＡＣおよびＰＨＹが含まれる。ユーザプレーンのプロトコルスタックアーキテクチャは図１に示す通りであり、コントロールプレーンのプロトコルスタックアーキテクチャは図２に示す通りである。
【０００６】
ただし、現在５Ｇ無線バックホールネットワークに特化したネットワークアーキテクチャがないため、５Ｇ無線バックホールネットワークのデータ伝送が実現できない。
【発明の概要】
【課題を解決するための手段】
【０００７】
本発明は無線バックホールネットワークを介してデータを伝送する方法および装置を提供し、現在５Ｇ無線バックホールネットワークのネットワークアーキテクチャがなく、５Ｇ無線バックホールネットワークのデータ伝送を実現できないという従来技術に存在する問題を解決する。
【０００８】
第１の形態として、本出願に係る実施例は無線バックホールネットワークを介してデータを伝送する方法を提供し、当該方法は、端末はベアラに対応する少なくとも１つの経路を介して有線バックホールアクセス局に接続することと、前記端末は前記少なくとも１つの経路を介して前記有線バックホールアクセス局とデータを伝送することと、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせは無線リンク制御（Ｒａｄｉｏ Ｌｉｎｋ Ｃｏｎｔｒｏｌ，ＲＬＣ）層、メディアアクセス制御（Ｍｅｄｉｕｍ Ａｃｃｅｓｓ Ｃｏｎｔｒｏｌ，ＭＡＣ）層および物理層（ＰＨＹ）を含む。
【０００９】
第２の形態として、本出願に係る実施例は無線バックホールネットワークを介してデータを伝送する方法を提供し、当該方法は、有線バックホールアクセス局はベアラに対応する少なくとも１つの経路を介して端末に接続することと、前記有線バックホールアクセス局は前記少なくとも１つの経路を介して前記端末とデータを伝送することと、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【００１０】
第３の形態として、本出願に係る実施例は無線バックホールネットワークを介してデータを伝送する方法を提供し、当該方法は、端末と有線バックホールアクセス局との間の経路に位置する無線バックホールアクセス局は前記経路の両側のノードと接続することと、前記無線バックホールアクセス局は両側のノード間でデータを伝送することと、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【００１１】
第４の形態として、本出願に係る実施例は無線バックホールネットワークを介してデータを伝送する端末を提供し、当該端末は、プロセッサ、メモリおよび送受信機を含み、前記プロセッサは、前記メモリ内のプログラムを読み出し、ベアラに対応する少なくとも１つの経路を介して有線バックホールアクセス局に接続し、前記少なくとも１つの経路を介して前記有線バックホールアクセス局とデータを伝送するプロセス実行し、そのうち、いずれの経路にも少なくとも１つの無線バックホールアクセス局があり、前記端末、前記有線バックホールアクセス局および前記無線バックホールアクセス局の各エアインターフェースにそれぞれに１組の下位層プロトコルの組み合わせが対応し、前記下位層プロトコルの組み合わせはＲＬＣ層、ＭＡＣ層およびＰＨＹを含む。
【００１２】
第５の形態として、本出願に係る実施例は無線バックホールネットワークを介してデータを伝送する有線バックホールアクセス局を提供し、当該有線バックホールアクセス局は、プロセッサ、メモリおよび送受信機を含み、前記プロセッサは、前記メモリ内のプログラムを読み出し、ベアラに対応する少なくとも１つの経路を介して端末に接続し、前記少なくとも１つの経路を介して前記端末とデータを伝送するプロセスを実行し、そのうち、いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む。
【００１３】
第６の形態として、本出願に係る実施例は無線バックホールネットワークを介してデータを伝送する無線バックホールアクセス局を提供し、前記無線バックホールアクセス局は端末と有線バックホールアクセス局との間の経路に位置し、前記無線バックホールアクセス局はプロセッサ、メモリおよび送受信機を含み、前記プロセッサは、前記メモリ内のプログラムを読み出し、前記経路の両側のノードに接続し、両側のノード間でデータを伝送するプロセスを実行し、そのうち、いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む。
【００１４】
第７の形態として、本出願に係る実施例はコンピュータ記憶媒体を提供し、前記コンピュータ記憶媒体にはコンピュータプログラムが格納され、当該プログラムがプロセッサにより実行される際、端末側が無線バックホールネットワークを介してデータを伝送する方法または有線バックホールアクセス局側が無線バックホールネットワークを介してデータを伝送する方法または無線バックホールアクセス局側が無線バックホールネットワークを介してデータを伝送する方法を実現する。
【００１５】
本出願の実施例に係る端末はベアラに対応する少なくとも１つの経路を介して有線バックホールアクセス局に接続し、前記少なくとも１つの経路を介して前記有線バックホールアクセス局とデータを伝送し、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせは無線リンク制御（ＲＬＣ）層、メディアアクセス制御（ＭＡＣ）層および物理層（ＰＨＹ）を含む。本出願に係る実施例は５Ｇ無線バックホールネットワークのネットワークアーキテクチャを提案し、端末は少なくとも１つの経路を介して有線バックホールアクセス局との間でデータを伝送することにより、５Ｇ無線バックホールネットワークのデータ伝送を実現し、５Ｇ無線バックホールネットワークの機能を高めた。
【図面の簡単な説明】
【００１６】
本出願に係る実施例の技術案をより明確に説明するために、以下に実施例を説明するために必要な図面について簡単に紹介する。勿論、以下の説明における図面は本出願に係る実施例の一部であり、当業者は、創造性作業を行わないことを前提として、これらの図面に基づいて他の図面を得ることができる。
【００１７】
【図１】本出願の実施例に係るネットワークトポロジの概略図である。
【図２】本出願の実施例に係る第１のネットワークアーキテクチャの概略図である。
【図３】本出願の実施例に係る第２のネットワークアーキテクチャの概略図である。
【図４】本出願の実施例に係る第３のネットワークアーキテクチャの概略図である。
【図５】本出願の実施例に係る第４のネットワークアーキテクチャの概略図である。
【図６】本出願の実施例に係る無線ネットワークを介してデータを伝送するシステム構成の概略図である。
【図７】本出願の実施例に係る第１の端末の構成の概略図である。
【図８】本出願の実施例に係る第１の有線バックホールアクセス局の構成の概略図である。
【図９】本出願の実施例に係る第１の無線バックホールアクセス局の構成の概略図である。
【図１０】本出願の実施例に係る第２の端末の構成の概略図である。
【図１１】本出願の実施例に係る第２の有線バックホールアクセス局の構成の概略図である。
【図１２】本出願の実施例に係る第２の無線バックホールアクセス局の構成の概略図である。
【図１３】本出願の実施例に係る端末側が無線バックホールネットワークを介してデータを伝送する方法のフローの概略図である。
【図１４】本出願の実施例に係る有線バックホールアクセス局側が無線バックホールネットワークを介してデータを伝送する方法のフローの概略図である。
【図１５】本出願の実施例に係る無線バックホールアクセス局側が無線バックホールネットワークを介してデータを伝送する方法のフローの概略図である。
【発明を実施するための形態】
【００１８】
以下、当業者による理解を容易にするために、本出願の実施例における一部の用語を説明する。
【００１９】
（１）本出願の実施例において、「ネットワーク」および「システム」という用語はしばしば互換的に使用されるが、当業者はその意味を理解することができる。
【００２０】
（２）本出願の実施例において、「複数」という用語は２つ以上を指し、他の数量詞も同様である。
【００２１】
（３）「及び／又は」は、関連する対象の関連関係を説明し、３つの関係が存在する可能性があることを示し、例えば、Ａ及び／又はＢは、Ａが単独で存在するか、ＡとＢが同時に存在するか、Ｂが単独で存在するという３つの状況を示す。符号「／」は一般的には前後で関連する対象が「論理和」の関係にあることを示す。
【００２２】
本発明の目的、技術案および利点をより明瞭にするために、以下、図面を参考しながら本出願をさらに詳細に説明するが、明らかなように、説明する実施例は、本出願の実施例の一部にすぎず、総ての実施例ではない。本出願における実施例に基づいて、当業者が創造的な努力を必要とせずに想到しうるほかの総ての実施例は、全部本出願の保護範囲に属する。
【００２３】
本出願に係る実施例においてアクセスネットワークノードはＬ２分離の基本アーキテクチャを採用し、ＰＤＣＰ層は有線バックホールアクセス局に位置し、各ホップ／各経路における無線アクセス局はＲＬＣ、ＭＡＣおよびＰＨＹを含み、端末に継続的なデータ伝送を行う。
【００２４】
有線バックホールアクセス局のＰＤＣＰは端末のＰＤＣＰと同等層であり、それぞれ上りおよび下りのデータの安全な暗号化ならびに順序付けなどの操作を維持する。
【００２５】
ここでの前記端末のＰＤＣＰ層と前記有線バックホールアクセス局のＰＤＣＰ層とが同等であるとは、互いに対応する１対のエンティティであることを意味する。下りデータは、セカンダリ有線バックホールアクセス局のＰＤＣＰ層から端末のＰＤＣＰ層に送信され、逆に、上りデータは、端末のＰＤＣＰ層から有線バックホールアクセス局のＰＤＣＰ層に送信される。
【００２６】
有線バックホールアクセス局とＵＥとの間に位置するＰＬＣ層は順序配信機能を維持する必要はなく、ただし、中間の無線ノード（すなわち無線バックホールアクセス局）のＲＬＣは順序配信機能を行う必要がある。
【００２７】
そのうち、本出願の実施例に係る端末は１つの経路を介して有線バックホールアクセス局に接続してもよく、複数の経路を介して有線バックホールアクセス局に接続してもよい。
【００２８】
複数の経路を介して有線バックホールアクセス局に接続した場合、端末は複数の経路における各経路の１つの無線バックホールアクセス局に直接接続してもよく、１つの無線バックホールアクセス局に接続し、当該無線バックホールアクセス局により複数の経路に接続してもよい。
【００２９】
そのうち、端末が複数の経路に直接接続した場合、前記端末は上りデータを送信する必要がある場合、前記ＰＤＣＰを通じて経路分散操作を行う。
【００３０】
以下、それぞれについて紹介する。
【００３１】
図１に示すように、図１はネットワークトポロジの概略図である。５Ｇ  ＵＥ（端末）が５Ｇネットワークにアクセスする際、ＵＥは同時に２つの経路、すなわちＵＥ−Ｒｅｌａｙ２−Ｒｅｌａｙ１−ＤｏｎｏｒおよびＵＥ−Ｒｅｌａｙ３−Ｄｏｎｏｒを介してアクセスし、そのうち、Ｒｅｌａｙは無線バックホールアクセス局で、Ｄｏｎｏｒ  ｇＮＢは有線バックホールアクセス局であり、Ｄｏｎｏｒ  ｇＮＢおよび他のｇＮＢ（５Ｇ基地局）、コアネットワークノードＡＭＦ、ＵＰＦなどは有線接続を有する。ＵＥのデータが最終的にＤｏｎｏｒを介して５Ｇコアネットワークとの間で交換および伝送を行うことに相当する。
【００３２】
図１は２つの端末と２つの経路の無線バックホールアクセス局との接続の例を示し、図において、１つの経路には２つの無線バックホールアクセス局が接続されており、もう１つの経路には１つの無線バックホールアクセス局が接続されている。
【００３３】
５Ｇシステムでは、５Ｇ周波数帯域に高周数帯域部分があるため、マルチホップ経路を支持する。高周波帯域では、カバレージが比較的に小さく、高周波フラッシングが発生しやすいため、マルチホップ経路の方がより伝送品質を確保することができるが、それにより伝送遅延が増加するため、マルチホップ経路を検討する場合、ブロック誤り率の要件は高いものの、伝送遅延は数百ミリ秒レベルまで許容できるような、例えば典型的なＡＭサービスなど、伝送遅延に敏感でないサービスを対象とすることが最適である。
【００３４】
複数の経路に複数の無線バックホールアクセス局があることは、端末と有線バックホールアクセス局との距離および特定のシナリオと関係する。
【００３５】
複数の経路による伝送を支持することで、ＵＥの伝送速度を拡張することができ、１つの経路の負荷が大きく、ＵＥに提供される伝送速度がニーズに応じられない場合、２つまたはそれ以上の伝送経路を介して伝送を行い、ＵＥの伝送帯域幅を拡張することができる。一方、高周波カバレージが不安定であるため、１つのリンクで問題が発生した場合、ＵＥは簡単に別の経路を使用して伝送を行うことができるため、サービスの伝送が中断されてユーザ体験が急激に低下するリスクを回避することができる。
【００３６】
複数のネットワーク伝送トポロジを支持するために、本出願に係る実施例は複数のネットワーク構成を提供する。
【００３７】
図１の例に係るネットワークアーキテクチャの概略図は図２に示す通りである。
【００３８】
このネットワークアーキテクチャ図において、ｇＮＢはＤｏｎｏｒノードであり、ＵＥとコアネットワーク間の伝送経路を維持する。ｇＮＢとコアネットワーク（Ｃｏｒｅ  Ｎｅｔｗｏｒｋ、ＣＮ）ノード（ＡＭＦまたはＵＰＦ）との間では、既存の有線伝送ネットワークアーキテクチャおよびプロトコルにより伝送を行う。
【００３９】
本出願に係る実施例は１つのベアラの伝送経路を提供し、ＵＥが複数のベアラを有する場合、各ベアラは、それぞれ同様の処理を行えばよい。本実施例に係るベアラ伝送において、２つの経路の例を提示したが、実際には同様の方法でより多くの経路に拡張することができる。本実施例の場合、２つの経路はそれぞれ１ホップおよび２ホップとして例示するが、同様により多くのホップに拡張することもでき、アーキテクチャはニーズに応じて拡張して良いものである。
【００４０】
ベアラには、それぞれＵＥと有線バックホールアクセス局に位置し、当該ベアラの上りおよび下りデータの送受信、セキュリティ操作、ヘッダ圧縮およびマルチ経路のデータ配信操作を司る、唯一の一対の同等のＰＤＣＰ層が対応する。
【００４１】
ネットワーク側が当該ベアラにベアラ分離操作を構成した場合、ベアラ分離操作を支持するために、１つのＰＤＣＰ層に対し、ネットワーク側およびＵＥ側のいずれも２組または複数組の下位層プロトコルの組み合わせ（すなわちＲＬＣ、ＭＡＣおよびＰＨＹ）を構成する。
【００４２】
そのうち、ＲＬＣ／ＭＡＣ／ＰＨＹの各組は１つの経路に対応する。注意すべきことは、有線バックホールアクセス局およびＵＥに位置するＲＬＣ層は、その上位層がＰＤＣＰ層に直接接続されており、ＰＤＣＰ層は完全な順序付け機能を備えているため、ＲＬＣ受信層においては、データの順序不同配信を許容し、ＰＤＣＰに順序付けを任せればよい。
【００４３】
無線バックホールアクセス局の場合、各無線バックホールアクセス局ノードがＵＥのこのベアラに、それぞれ上流無線伝送および下流無線伝送に対応する２組の下位層プロトコルの組み合わせ（すなわちＲＬＣ、ＭＡＣおよびＰＨＹ）を構成する必要がある。
【００４４】
前記端末が少なくとも２つの経路を介して有線バックホールアクセス局に接続した場合、前記端末は少なくとも２つの無線バックホールアクセス局に接続し、かつ各前記無線バックホールアクセス局に接続された少なくとも１つの経路を介して前記有線バックホールアクセス局に接続する。図２において、端末はＲｅｌａｙ２およびＲｅｌａｙ３に接続されており、各エアインターフェースに１組の下位層プロトコルの組み合わせ（ＲＬＣ、ＭＡＣ、ＰＨＹ）がある。
【００４５】
そのうち、上流無線伝送は有線バックホールアクセス局の方向への伝送を指し、下流無線伝送はＵＥ方向への伝送を指す。図２に示すように、Ｒｅｌａｙ３の２組の下位層プロトコルの組み合わせ（ＲＬＣ、ＭＡＣ、ＰＨＹ）は、それぞれＵＥ側および有線バックホールアクセス局側の第２層の伝送に対応する。図２の矢印の両端はいずれも同等層である。
【００４６】
例えば、Ｒｅｌａｙ３の内部では、下りデータは上流のＲＬＣ層によって受信され、後続の伝送のために下流のＲＬＣ層に渡される。一方、上りデータは下流のＲＬＣ層によって受信され、後続の伝送のために上流のＲＬＣ層に渡される。ＲＬＣ層は順序不同の配信を許可しているものの、ＲｅｌａｙノードにおいてＲＬＣ上位の順序付けが欠けているため、ＲＬＣ層において順序通り配信機能を有効にするか、またはＲＬＣに新しいプロトコル層を追加してデータに順序を付ける必要がある。
【００４７】
勿論、順序不同の伝送を行う場合、ＰＤＣＰ受信層によって均一に順序付けることもできるが、遅延が長くなり、ホップごとの順不同の累積により、ＰＤＣＰウィンドウのオーバーフローの問題が発生する可能性がある。好ましい方法は、ホップごとに順序付けてから、次のホップの伝送を行うことである。Ｒｅｌａｙにおいて順序付けるか否かは、サービスのニーズに応じて設定してもよく、例えば、ＡＭ（確認モード）サービスはＲｅｌａｙにおいて順序通り配信機能を起動する必要があるのに対し、ＵＭ（非確認モード）サービスは起動しなくてもよい。
【００４８】
図２において、ＵＥのインターネットプロトコル（Ｉｎｔｅｒｎｅｔ  Ｐｒｏｔｏｃｏｌ、ＩＰ）層はＣＮのＩＰ層と同等である。ｇＮＢにはさらに汎用パケット無線サービストンネリングプロトコル−ユーザ（プレーン）（ＧＰＲＳ  Ｔｕｎｎｅｌｉｎｇ  Ｐｒｏｔｏｃｏｌ−  Ｕｓｅｒ、ＧＴＰ−Ｕ）層、ユーザデータグラムプロトコル（Ｕｓｅｒ  Ｄａｔａｇｒａｍ  Ｐｒｏｔｏｃｏｌ、ＵＤＰ）／ＩＰ層、Ｌ１層およびＬ２層が含まれており、それぞれＣＮのＧＴＰ−Ｕ層、ＵＤＰ／ＩＰ層、Ｌ１層およびＬ２層に対応する。
【００４９】
図２のネットワークアーキテクチャのほかにも、ネットワーク側にプライマリ次有線バックホールアクセス局およびセカンダリ有線バックホールアクセス局を有する場合、端末のＰＤＣＰ層はプライマリ有線バックホールアクセス局のＰＤＣＰ層と同等である。
【００５０】
図３に示すように、２つのＤｏｎｏｒはそれぞれ２つの経路を終了し、かつプライマリ有線バックホールアクセス局のＰＤＣＰ層によりプライマリ有線バックホールアクセス局およびセカンダリ有線バックホールアクセス局のデータを集合、分散する。
【００５１】
図４に示すように、ＵＥ側では無線バックホールアクセス局を確認できるが、当該無線バックホールアクセス局から有線バックホールアクセス局までの経路に複数の選択肢を有するという変形したアーキテクチャでもよい。
【００５２】
このような形態における端末にとって、前記端末が少なくとも２つの経路を介して有線バックホールアクセス局に接続した場合、前記端末は１つの無線バックホールアクセス局に接続し、かつ前記無線バックホールアクセス局に接続された少なくとも２つの経路を介して前記有線バックホールアクセス局に接続する。図４において、端末はＲｅｌａｙ２のみに接続されており、Ｒｅｌａｙ２はそれぞれＲｅｌａｙ１およびＲｅｌａｙ３に接続されている。
【００５３】
説明すべきことは、図２から図４は、図１のトポロジ図を例にして説明したものであり、ニーズに応じて経路数および経路内の無線バックホールアクセス局数は変更可能であり、それに応じて図２から図４も適応的に変更される。
【００５４】
例えば、図５において、端末は３つの経路を介して有線バックホールアクセス局に接続し、そのうち、２つの経路は直接プライマリ有線バックホールアクセ局で終了し、もう１つの経路はセカンダリ有線バックホールアクセス局を通過し、最終的にプライマリ有線バックホールアクセス局に帰着する。
【００５５】
図６に示すように、本出願の実施例に係る無線バックホールネットワークを介してデータを伝送するシステムは、
ベアラに対応する少なくとも１つの経路を介して有線バックホールアクセス局に接続し、前記少なくとも１つの経路を介して前記有線バックホールアクセス局との間でデータを伝送する端末６００と、
ベアラに対応する少なくとも１つの経路を介して端末に接続し、前記少なくとも１つの経路を介して端末との間でデータを伝送する有線バックホールアクセス局６０１と、
端末と有線バックホールアクセス局との間に位置し、前記経路の両側のノードに接続し、両側のノード間でデータを伝送する無線バックホールアクセス局６０２と、を含み、
そのうち、いずれの経路に少なくとも１つの無線バックホールアクセス局を有し、前記端末、前記有線バックホールアクセス局および前記無線バックホールアクセス局の各エアインターフェースはそれぞれ１組の下位層プロトコルの組み合わせに対応し、前記下位層プロトコルの組み合わせはＲＬＣ層、ＭＡＣ層およびＰＨＹを含む。
【００５６】
本出願の実施例に係る端末はベアラに対応する少なくとも１つの経路を介して有線バックホールアクセス局に接続し、かつ前記少なくとも１つの経路を介して前記有線バックホールアクセス局との間でデータを伝送し、いずれの経路に少なくとも１つの無線バックホールアクセス局を有し、前記端末、前記有線バックホールアクセス局および前記無線バックホールアクセス局の各エアインターフェースはそれぞれ１組の下位層プロトコルの組み合わせに対応し、前記下位層プロトコルの組み合わせはＲＬＣ層、ＭＡＣ層およびＰＨＹを含む。本出願に係る実施例は５Ｇ無線バックホールネットワークのネットワークアーキテクチャを提案し、そのうち端末が前記少なくとも１つの経路を介して前記有線バックホールアクセス局との間でデータを伝送することにより、５Ｇ無線バックホールネットワークのデータ伝送を実現し、５Ｇ無線バックホールネットワークの機能を高める。
【００５７】
そのうち、前記端末、前記有線バックホールアクセス局および前記無線バックホールアクセス局の各エアインターフェースはそれぞれ１組の下位層プロトコルの組み合わせに対応することは、
端末の各エアインターフェースはそれぞれ１組の下位層プロトコルの組み合わせに対応し、
有線バックホールアクセス局の各エアインターフェースはそれぞれ１組の下位層プロトコルの組み合わせに対応し、
無線バックホールアクセス局の各エアインターフェースはそれぞれ１組の下位層プロトコルの組み合わせが対応する、ことを指す。
【００５８】
有線バックホールアクセス局を例に採ると、有線バックホールアクセス局がエアインターフェースＡを有する場合、有線バックホールアクセス局のエアインターフェースＡは１組の下位層プロトコルの組み合わせに対応し、有線バックホールアクセス局がエアインターフェースＢを有する場合、有線バックホールアクセス局のエアインターフェースＡは１組の下位層プロトコルの組み合わせに対応し、エアインターフェースＢは別の１組の下位層プロトコルの組み合わせに対応する。
【００５９】
異なる伝送方向に対し、無線バックホールアクセス局のデータ送信及び受信の方向も異なる。
【００６０】
１、無線バックホールアクセス局は上りデータを受信した場合、前記上りデータを経路における前記有線バックホールアクセス局方向の次のノードに送信する。
【００６１】
そのうち、前記有線バックホールアクセス局方向の次のノードは無線バックホールアクセス局または有線バックホールアクセス局である。
【００６２】
無線バックホールアクセス局が受信した上りデータは、端末から有線バックホールアクセス局に送信する必要があるものである。
【００６３】
無線バックホールアクセス局が端末に直接接続した場合、受信した上りデータは端末によって送信されたものである。
【００６４】
無線バックホールアクセス局と端末との間にさらに少なくとも１つの他の無線バックホールアクセス局がある場合、無線バックホールアクセス局が受信した上りデータは他の無線バックホールアクセス局によって送信されたものである。
【００６５】
無線バックホールアクセス局が有線バックホールアクセス局に直接接続した場合、無線バックホールアクセス局は前記上りデータを有線バックホールアクセス局に送信する。
【００６６】
無線バックホールアクセス局と有線バックホールアクセス局との間に少なくとも１つの他の無線バックホールアクセス局がある場合、無線バックホールアクセス局は前記上りデータを接続された他の無線バックホールアクセス局に送信する。
【００６７】
好ましくは、前記無線バックホールアクセス局は受信した前記上りデータに対してＲＬＣ層により順序付けを行った後に経路における前記有線バックホールアクセス局方向の次のノードに送信する。
【００６８】
２、無線バックホールアクセス局は下りデータを受信した場合、前記下りデータを経路における前記端末方向の次のノードに送信する。
【００６９】
そのうち、前記端末方向の次のノードは無線バックホールアクセス局または前記端末である。
【００７０】
無線バックホールアクセス局が受信した下りデータはセカンダリ有線バックホールアクセス局から端末に送信する必要があるものである。
【００７１】
無線バックホールアクセス局が有線バックホールアクセス局に直接接続した場合、受信した下りデータは有線バックホールアクセス局によって送信されたものである。
【００７２】
無線バックホールアクセス局と有線バックホールアクセス局との間にさらに少なくとも１つの他の無線バックホールアクセス局がある場合、無線バックホールアクセス局が受信した下りデータは他の無線バックホールアクセス局によって送信されたものである。
【００７３】
無線バックホールアクセス局が端末に直接接続した場合、無線バックホールアクセス局は前記下りデータを端末に送信する。
【００７４】
無線バックホールアクセス局と端末との間にさらに少なくとも１つの他の無線バックホールアクセス局がある場合、無線バックホールアクセス局は前記下りデータを接続された端末に送信する。
【００７５】
好ましくは、前記無線バックホールアクセス局は受信した前記下りデータに対してＲＬＣ層により順序付けを行った後に経路上の前記端末方向の次のノードに送信する。
【００７６】
本出願に係る実施例は、提案の上記アーキテクチャに、それぞれ確立プロセス、再構成プロセス、異常報告プロセスおよびハンドオーバプロセスを提示し、以下、それぞれについて説明する。
【００７７】
プロセス１、確立プロセスは以下の通りである。
【００７８】
端末は有線バックホールアクセス局にＲＲＣ接続確立要求を送信し、
それに応じて、有線バックホールアクセス局はそれぞれ前記端末および前記端末との間の経路における無線バックホールアクセス局に構成情報を送信し、
無線バックホールアクセス局は受信した構成情報に基づき前記経路の両側のノードとの接続を確立する。
【００７９】
本出願の実施例に係る第２層のｒｅｌａｙに基づいたアーキテクチャにおいて、同等のＲＲＣ層はそれぞれＵＥおよび有線バックホールアクセス局に位置、すなわちＵＥの制御機能は有線バックホールアクセス局に位置する。
【００８０】
ＵＥが初期接続を開始すると、ＵＥはアクセス開始可能な常駐セルにランダムアクセスを行い、ランダムアクセスメッセージ３によりＲＲＣ接続確立要求を携持する（または他のメッセージによりＲＲＣ接続確立要求を携持する）。
【００８１】
ＵＥのランダムアクセスメッセージを受信した基地局が無線バックホールアクセス局である場合、当該無線バックホールアクセス局は起動準備段階において、適切な有線バックホールアクセス局との伝送経路すでに確立し（または経路における他の無線バックホールアクセス局との伝送経路を確立）、当該伝送経路を介してＵＥのＲＲＣ接続確立要求を有線バックホールアクセス局に送信し、有線バックホールアクセス局が、後続のシグナリング無線ベアラ（Ｓｉｇｎａｌｉｎｇ  Ｒａｄｉｏ  Ｂｅａｒｅｒ、ＳＲＢ）の確立およびサービスデータ無線ベアラ（Ｄａｔａ  Ｒａｄｉｏ  Ｂｅａｒｅｒ、ＤＲＢ）の確立を含む確立決定を行う。
【００８２】
通常、デフォルトの経路はすなわち初期アクセスに用いられた経路であり、さきにデフォルト経路によりＳＲＢおよびＤＲＢを確立してもよい。
【００８３】
確立プロセスにおいて、有線バックホールアクセス局は、関連構成情報（例えばＬ１およびＬ２の構成情報など）を携持する確立メッセージをＵＥに送信する必要があり、また有線バックホールアクセス局は、ノード間のメッセージ経路、例えばＸｎＡＰメッセージなどを介して、当該経路に関するＲｅｌａｙノード（すなわち無線バックホールアクセス局）に、関連構成情報（例えばＬ１およびＬ２の構成情報など）を携持する確立メッセージを送信する。
【００８４】
例えば、図１を例に採ると、ＵＥ−Ｒｅｌａｙ２−Ｒｅｌａｙ１−Ｄｏｎｏｒがデフォルト経路である場合、ＳＲＢとＤＲＢの初期経路をいずれも当該経路として構成し、有線バックホールアクセス局はＵＥに関連構成情報を送信するほか、Ｒｅｌａｙ２およびＲｅｌａｙ１ノードにも関連構成情報を送信する必要がある。そのうち、各ホップの構成メッセージは異なってもよく、例えばエアインターフェースの周波数帯域などのパラメータが異なってもよく、物理層の構成が異なってもよい。ただし、サービス関連の構成は同じである必要があり、例えばリンク全般において通常はいずれもＡＭモードまたはＵＭモードである。
【００８５】
ベアラに対する２番目の経路はベアラと同時に確立することができる。例えば、ＤＲＢを確立する際、サービスニーズに応じ、広帯域幅伝送または保証伝送が必要であり、ＵＥの測定結果および機能も、別の経路の同時伝送を支持できることを示している場合は、当該ＤＲＢを確立する際にもはや２つの経路を構成し、関連構成を有線バックホールアクセス局によりＵＥおよび関係する各無線バックホールアクセス局（リレーノードとも呼ぶ）に送信してもよい。
【００８６】
２番目の経路の確立は再構成の方式を用いてもよい。まず当該ＤＲＢをデフォルト経路に確立し、そしてデフォルト経路がニーズを満たしていないことに気づいた際、または２番目の経路の確立を許容するという測定結果をＵＥから受信した際に、ＵＥが２つの経路を利用して伝送を行うように再構成してもよい。
【００８７】
上記は図１を例として確立のフローを説明したが、より多くの経路を確立する場合または経路により多くの無線バックホールアクセス局が存在する場合、具体的な確立方式は上記と同様であり、ここでは重複して説明しない。
【００８８】
プロセス２、再構成プロセスは以下の通りである。
【００８９】
伝送経路伝送の再構成は、ＵＥに関わる場合と、ＵＥに関わらない場合とに分けることができる。
【００９０】
１、ＵＥに関わる場合は以下の通りである。
【００９１】
端末が自身に接続された少なくとも１つの無線バックホールアクセス局に変化が発生したと確定した後に有線バックホールアクセス局に通知するか、または有線バックホールアクセス局自身が前記端末との間の経路上の無線バックホールアクセス局に変化が発生したと確定する。
【００９２】
それに対応して、有線バックホールアクセス局は前記端末との間の経路上の無線バックホールアクセス局に変化が発生したと確定した後（自身が確定してもよく、端末によって通知されてもよい）、新しい無線バックホールアクセス局に構成情報を送信し、なお、新しい無線バックホールアクセス局に接続された端末及び／又は無線バックホールアクセス局に構成情報を送信する。
【００９３】
具体的には、ＵＥに関わるとは、ＵＥが感知できる経路の変化、すなわちＵＥのプロトコルスタックをそれに応じて変化させる必要がある状況を指す。
【００９４】
例えば、前の例において、ＵＥの経路が１つから２つに、またはその逆に２つから１つに変更される場合を指す。１つの経路から２つの経路に変更することは、第２組のＲＬＣ／ＭＡＣ／ＰＨＹが新しく確立されたことに相当し、総てが初期値から始まり（プロセス１に従って確立）、確立が完成すると、ＰＤＣＰにより当該経路にデータを配信する。２つの経路から１つの経路に変更することは、１つの経路を削除することに相当し、この場合、当該経路で伝送されたデータパケットが成功したか否かについて、特にＡＭサービスの場合は、フィードバックが必要であり、伝送に成功していないデータパケットに対し、ＰＤＣＰは既存の経路での再伝送をアレンジし、データ復旧（Ｄａｔａ  ｒｅｃｏｖｅｒｙ）に類似したプロセスを行う。
【００９５】
２、ＵＥに関わらない場合は、以下の通りである。
【００９６】
有線バックホールアクセス局は前記端末に接続された経路上の無線バックホールアクセス局に変化が発生したことを確定した場合、新しい無線バックホールアクセス局に構成情報を送信する。
【００９７】
ＵＥに関わらない経路の再構成とは、ＵＥに接続された経路が変更されず、リンク品質または負荷の影響によりネットワーク側のマルチホップ経路を変更する必要があることを指す。例えば、ＵＥ−Ｒｅｌａｙ２−Ｒｅｌａｙ１−Ｄｏｎｏｒの経路において、Ｒｅｌａｙ１の障害やその他の理由により、ＵＥ−Ｒｅｌａｙ２−Ｒｅｌａｙ４−Ｄｏｎｏｒの経路に置き換える。この場合、ＵＥとＲｅｌａｙ２間のリンクおよび構成は影響を受けないため保持し、Ｄｏｎｏｒ（すなわち有線バックホールアクセス局）の制御および構成により、Ｒｅｌａｙ１をＲｅｌａｙ４に置き換える再構成プロセスを完了する。無線バックホールアクセス局の置き換えにより、ＲＬＣの下の総ての層はリセット・パケット削除などの操作が必要であり、一部の伝送に成功していないデータも、ＰＤＣＰ層のエンドツーエンドの状態のフィードバックに基づくか、新しい中間セグメント状態のフィードバックのメカニズムを導入することにより、新しい経路または別の経路で再伝送する必要がある。
【００９８】
プロセス３、異常報告プロセスは以下の通りである。
【００９９】
好ましくは、前記端末は少なくとも１つの経路を介して有線バックホールアクセス局に接続した後、以下のプロセスのうちの一部または総てを実行する。
【０１００】
プロセス１において、前記端末は自身に接続された少なくとも１つの無線バックホールアクセス局との間の経路に対してリンク測定を行い、さらに前記リンク測定の結果を接続された無線バックホールアクセス局に報告する。
【０１０１】
プロセス２において、前記端末は自身に接続された少なくとも１つの無線バックホールアクセス局との間の経路に対して品質測定を行い、さらに前記品質測定結果に基づき、品質が劣化条件に達したと確定した場合は前記有線バックホールアクセス局に報告する。
【０１０２】
無線バックホールアクセス局は、前記経路の両側のノードとの間の経路に対して品質測定を行い、さらに前記品質測定結果に基づき、品質が劣化条件に達したと確定した場合は前記有線バックホールアクセス局に報告する。
【０１０３】
有線バックホールアクセス局は、前記端末または前記無線バックホールアクセス局より前記品質測定結果に基づき品質が劣化条件に達したと確定し報告する情報を受信した場合、前記端末との間の経路を再構成するか、または劣化条件に達した経路を開放する。
【０１０４】
具体的には、ＵＥのマルチホップ・マルチ経路において、関わる無線経路および局ノードが多いため、それに対応する測定・報告を継続して行う必要があり、通常、リンク測定報告がスケジューリングおよびリソースに関連するため、このようなものを局ノードに送信すればよい。図１を例に採ると、ＵＥは２つのリンクのスケジューリングなどのために、その２路の無線リンクのリンク測定を、それぞれＲｅｌａｙ３およびＲｅｌａｙ２に送信する。
【０１０５】
同時にＵＥはリンクに対して品質測定も行う必要がある。図１を例に採ると、ＵＥ−Ｒｅｌａｙ３の間のリンクが劣化条件に達した場合、ＵＥは有線バックホールアクセス局に報告し、有線バックホールアクセス局によりＲＲＣシグナリングを通じてリンクを再構成するか、または利用不可能なリンクを開放する必要がある。
【０１０６】
無線バックホールアクセス局に対しても測定、報告を行う必要がある。図１を例に採ると、Ｒｅｌａｙ３はＲｅｌａｙ３−Ｄｏｎｏｒとの間のリンクを測定し、リンクが劣化条件に達した場合、局間のＸｎインターフェースを介してＤｏｎｏｒに報告し、リンクの再構成または開放を行う必要がある。
【０１０７】
実施例において、上述のリンク測定および品質測定は、測定対象および測定量は同じで、報告のタイミグが異なるが、測定の対象および測定も異なり、報告のタイミングも異なってもよい。
【０１０８】
プロセス３において、前記端末は経路を備えたＲＬＣ伝送が最大再送回数に達した場合、前記有線バックホールアクセス局に報告する。
【０１０９】
それに対応して、前記有線バックホールアクセス局は、前記端末より経路を備えたＲＬＣ伝送が最大再送回数に達したと報告された場合、前記端末との間の経路を再構成するか、またはＲＬＣ伝送が最大再送回数に達した経路を開放する。
【０１１０】
各段階の伝送において、復旧不可能なエラーが発生する可能性がある。例えば、ある部分のリンクのＲＬＣ伝送が最大再送回数に達した時、ＲＬＣ自身は解決できず、当該状況を有線バックホールアクセス局に報告し、有線バックホールアクセス局より構成または開放を行う必要がある。ＵＥに関連するＲＬＣは、ＵＥよりＲＲＣシグナリングを通じて報告され、ノード間のＲＬＣは、ノード間シグナリングを通じて報告が行われる。
【０１１１】
プロセス４、ハンドオーバプロセスは以下の通りである。
【０１１２】
通常、有線バックホールアクセス局および無線バックホールアクセス局の位置は固定される。しかし、ＵＥは移動可能であり、ＵＥの移動に連れて、ハンドオーバフローを行う必要がある。
【０１１３】
ＵＥは移動により第１のホップノードのカバレージの外に移動してしまう。例えば、図１において、ＵＥはＲｅｌａｙ３のカバレージの外に移動し、Ｒｅｌａｙ４のカバレージに入る。Ｒｅｌａｙ４も同様にＲｅｌａｙ３と同じの同一有線バックホールアクセス局に接続された場合、すなわちＵＥは第１のホップノードを交換する必要があるが、有線バックホールアクセス局を交換する必要はない場合は、リンク再構成を行い、ＵＥのための新しい経路を構成し、ＰＤＣＰはｄａｔｅ  ｒｅｃｏｖｅｒｙプロセス及び／又は下位層プロトコルの組み合わせに対するｒｅ−ｅｓｔａｂｌｉｓｈプロセスを行い、セキュリティおよびヘッダ圧縮を維持し続けてもよい。
【０１１４】
すなわち、前記端末は接続された有線バックホールアクセス局に変化が発生していない場合、ＰＤＣＰ層に対しｄａｔａ  ｒｅｃｏｖｅｒｙプロセス及び／又は下位層プロトコルの組み合わせに対しｒｅ−ｅｓｔａｂｌｉｓｈプロセスを行う。
【０１１５】
もう１つの状況として、ＵＥが第１のホップノードカバレージの外に移動し、新しい第１のホップノードが元の有線バックホールアクセス局への利用可能な経路を有せず、すなわちＵＥに有線バックホールアクセス局を交換する必要がある場合がある。例えば、図１において、ＵＥ−Ｒｅｌａｙ３−Ｄｏｎｏｒ１経路は利用不可能となり、ＵＥ−Ｒｅｌａｙ４−Ｄｏｎｏｒ２の経路に交換する必要がある場合、Ｄｏｎｏｒノードの変更を行う必要があり、ＵＥは通常のＨａｎｄｏｖｅｒプロセスを行い、ＰＤＣＰおよびその以下は総てｒｅ−ｅｓｔａｂｌｉｓｈプロセスを行い、セキュリティおよびヘッダ圧縮をリセットする必要がある。
【０１１６】
より複雑な状況として、ＵＥの２つの利用可能な第１のホップノードは、接続されるＤｏｎｏｒノードが異なるか、またはいずれかの第１のホップノード自身が、２つのＤｏｎｏｒへの経路接続を有する場合、なるべくホップ数が少なく、リソースが多く、リンク品質が良好な経路を選択する必要がある。勿論、特殊な状況において、ＵＥは２つまたは２つ以上のＤｏｎｏｒノードに接続してもよく、これらのＤｏｎｏｒノードの間でもＭａｓｔｅｒ  Ｄｏｎｏｒ（すなわちプライマリ有線バックホールアクセス局）とＳｅｃｏｎｄａｒｙ  Ｄｏｎｏｒ（セカンダリ有線バックホールアクセス局）を区別する必要があり、Ｍａｓｔｅｒ  Ｄｏｎｏｒが主な制御を司る。
【０１１７】
すなわち、前記端末は接続された有線バックホールアクセス局に変化が発生した場合、ハンドオーバプロセスを行い、ＰＤＣＰ層および下位層プロトコルの組み合わせに対しｒｅ−ｅｓｔａｂｌｉｓｈプロセスを行う。
【０１１８】
図７に示すように、本出願の実施例に係る第１の端末は、バスアーキテクチャおよび通常の処理を管理するプロセッサ７００と、プロセッサ７００が操作を実行する際に利用するデータを記憶するメモリ７０１と、プロセッサ７００の制御によりデータを送受信する送受信機７０２と、を含む。
【０１１９】
バスアーキテクチャは、任意の数の相互接続するバスおよびブリッジを備える。具体的に、プロセッサ７００が代表する１つまたは複数のプロセッサおよびメモリ７０１が代表するメモリの各種回路により接続される。バスアーキテクチャはさらに、外部設備、電圧レギュレーターおよび電力管理回路などの他の各種回路を互いに接続することもできる。これらは、当該分野の周知技術であるため、本発明において、詳細に説明しない。バスインターフェースはインターフェースを提供する。プロセッサ７００はバスアーキテクチャおよび通常の処理を管理し、メモリ７０１はプロセッサ７００が操作を実行する際に利用されるデータを記憶することができる。
【０１２０】
本出願に係る実施例により開示されるフローは、プロセッサ７００に適用するか、または、プロセッサ７００により実施することができる。実施の過程において、信号処理フローの各々ステップは、プロセッサ７００内のハードウェアの論理集積回路またはソフトウェア形式の指令により完成することができる。プロセッサ７００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例における各々方法、ステップおよびロジックブロック図を実現・執行することができる。汎用プロセッサはマイクロプロセッサまたはいずれのノーマルプロセッサなどであることができる。本出願に係る実施例により開示された方法のステップを参照すれば、ハードウェアプロセッサにより直接に執行して完成するか、または、プロセッサ内のハードウェアおよびソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に位置されることができる。当該記憶媒体はメモリ７０１に位置し、プロセッサ７００はメモリ７０１内のプログラムを読み出して、そのハードウェアと協働して信号処理フローのステップを完成する。
【０１２１】
そのうち、プロセッサ７００は、メモリ７０１内のプログラムを読み出し、以下のプロセスを実行する。すなわち、ベアラに対応する少なくとも１つの経路を介して有線バックホールアクセス局に接続し、前記少なくとも１つの経路を介して前記有線バックホールアクセス局との間でデータを伝送する。そのうち、いずれの経路においても少なくとも１つの無線バックホールアクセス局を有し、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１２２】
好ましくは、前記端末のＰＤＣＰ層は前記有線バックホールアクセス局のＰＤＣＰ層と同等である。
【０１２３】
好ましくは、前記プロセッサ７００は、さらに前記ＰＤＣＰを通じて経路分散操作を行う。
【０１２４】
好ましくは、前記プロセッサ７００が少なくとも２つの経路を介して有線バックホールアクセス局に接続する場合、前記プロセッサ７００は１つの無線バックホールアクセス局に接続し、かつ前記無線バックホールアクセス局に接続された少なくとも２つの経路を介して前記有線バックホールアクセス局に接続し、及び／又は前記プロセッサ７００が少なくとも２つの経路を介して有線バックホールアクセス局に接続する場合、前記プロセッサ７００は少なくとも２つの無線バックホールアクセス局に接続し、かつ各前記無線バックホールアクセス局に接続された少なくとも１つの経路を介して前記有線バックホールアクセス局に接続する。
【０１２５】
好ましくは、前記有線バックホールアクセス局はプライマリ有線バックホールアクセス局およびセカンダリ有線バックホールアクセス局を含み、前記端末のＰＤＣＰ層は前記プライマリ有線バックホールアクセス局のＰＤＣＰ層と同等である。
【０１２６】
好ましくは、前記プロセッサ７００は、さらに以下のプロセスの一部または総てを実行する。
【０１２７】
プロセス１において、自身に接続された少なくとも１つの無線バックホールアクセス局との間の経路に対してリンク測定を行い、さらに前記リンク測定の結果を、接続された無線バックホールアクセス局に報告する。
【０１２８】
プロセス２において、自身に接続された少なくとも１つの無線バックホールアクセス局との間の経路に対して品質測定を行い、さらに前記品質測定結果に基づき品質が劣化条件に達したと確定した場合、前記有線バックホールアクセス局に報告する。
【０１２９】
プロセス３において、経路を備えたＲＬＣ伝送が最大再送回数に達した場合、前記有線バックホールアクセス局に報告する。
【０１３０】
好ましくは、前記プロセッサ７００は、さらに接続された有線バックホールアクセス局に変化が発生した場合、ハンドオーバプロセスを行い、ＰＤＣＰ層および下位層プロトコルの組み合わせに対してｒｅ−ｅｓｔａｂｌｉｓｈプロセスを行うか、または接続された有線バックホールアクセス局に変化が発生していない場合、ＰＤＣＰ層に対してＰＤＣＰ  ｄａｔａ  ｒｅｃｏｖｅｒｙプロセスを行い、及び／又は下位層プロトコルの組み合わせに対してｒｅ−ｅｓｔａｂｌｉｓｈプロセス行う。
【０１３１】
図８に示すように、本出願の実施例に係る第１の有線バックホールアクセス局は、バスアーキテクチャおよび通常の処理を管理するプロセッサ８００と、プロセッサ８００が操作を実行する際に利用されるデータを記憶するメモリ８０１と、プロセッサ８００の制御によりデータを送受信する送受信機８０２と、を含む。
【０１３２】
バスアーキテクチャは、任意の数の相互接続するバスおよびブリッジを備える。具体的に、プロセッサ８００が代表する１つまたは複数のプロセッサおよびメモリ８０１が代表すメモリの各種回路により接続される。バスアーキテクチャはさらに、外部設備、電圧レギュレーターおよび電力管理回路などの他の各種回路を接続することもできる。これらは、当該分野の周知技術であるため、本発明において、詳細に説明しない。バスインターフェースはインターフェースを提供する。プロセッサ８００はバスアーキテクチャおよび通常の処理を管理し、メモリ８０１はプロセッサ８００が操作を実行する際に利用されるデータを記憶することができる。
【０１３３】
本出願に係る実施例により開示されるフローは、プロセッサ８００に適用するか、または、プロセッサ８００により実施することができる。実施の過程において、信号処理フローにおける各々ステップは、プロセッサ８００内のハードウェアの論理集積回路またはソフトウェア形式の指令により完成することができる。プロセッサ８００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例における各々方法、ステップおよびロジックブロック図を実現・執行することができる。汎用プロセッサはマイクロプロセッサまたはいずれのノーマルプロセッサなどであることができる。本出願に係る実施例により開示された方法のステップを参照すれば、ハードウェアプロセッサにより直接に執行して完成するか、または、プロセッサ内のハードウェアおよびソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に位置されることができる。当該記憶媒体はメモリ８０１に位置し、プロセッサ８００はメモリ８０１内のプログラムを読み出して、そのハードウェアと協働して信号処理フローのステップを完成する。
【０１３４】
そのうち、プロセッサ８００は、メモリ８０１内のプログラムを読み出し、以下のプロセスを実行する。すなわち、ベアラに対応する少なくとも１つの経路を介して端末に接続し、前記少なくとも１つの経路を介して前記端末との間でデータを伝送する。そのうち、いずれの経路においても少なくとも１つの無線バックホールアクセス局を有し、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１３５】
好ましくは、前記有線バックホールアクセス局がプライマリ有線バックホールアクセス局である場合、前記端末のＰＤＣＰ層は前記プライマリ有線バックホールアクセス局のＰＤＣＰ層と同等である。
【０１３６】
好ましくは、前記プロセッサ８００は、さらにそれぞれ前記端末および前記端末との間の経路上の無線バックホールアクセス局に構成情報を送信するか、または前記端末との間の経路上の無線バックホールアクセス局に変化が発生したと確定した場合、新しい無線バックホールアクセス局に構成情報を送信し、新しい無線バックホールアクセス局に接続された端末及び／又は無線バックホールアクセス局に構成情報を送信する。
【０１３７】
好ましくは、前記プロセッサ８００は、さらに前記端末または前記無線バックホールアクセス局から前記品質測定結果に基づき品質が劣化条件に達したと確定・報告する情報を受信した場合、前記端末との間の経路を再構成するか、または劣化条件に達した経路を開放する。さらに／或いは、前記端末により経路を備えたＲＬＣ伝送が最大再送回数に達したと報告された場合、前記端末との間の経路を再構成するか、またはＲＬＣ伝送が最大再送回数に達した経路を開放する。
【０１３８】
好ましくは、前記プロセッサ８００は、さらに前記端末に接続された経路上の無線バックホールアクセス局に変化が発生したと確定した場合、ベアラに対応する少なくとも１つの経路を介して端末に接続する。
【０１３９】
図９に示すように、本出願の実施例に係る第１の無線バックホールアクセス局は、バスアーキテクチャおよび通常の処理を管理するプロセッサ９００と、プロセッサ９００が操作を実行する際に利用されるデータを記憶するメモリ９０１と、プロセッサ９００の制御によりデータを送受信する送受信機９０２と、を含む。
【０１４０】
バスアーキテクチャは、任意の数の相互接続するバスおよびブリッジを備える。具体的に、プロセッサ９００が代表する１つまたは複数のプロセッサおよびメモリ９０１が代表するメモリの各種回路により接続される。バスアーキテクチャはさらに、外部設備、電圧レギュレーターおよび電力管理回路などの他の各種回路を接続することもできる。これらは、当該分野の周知技術であるため、本発明において、詳細に説明しない。バスインターフェースはインターフェースを提供する。プロセッサ９００はバスアーキテクチャおよび通常の処理を管理し、メモリ９０１はプロセッサ９００が操作を実行する際に利用されるデータを記憶することができる。
【０１４１】
本出願に係る実施例により開示されるフローは、プロセッサ９００に適用するか、または、プロセッサ９００により実施することができる。実施の過程において、信号処理フローにおける各々ステップは、プロセッサ９００内のハードウェアの論理集積回路またはソフトウェア形式の指令により完成することができる。プロセッサ９００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例における各々方法、ステップおよびロジックブロック図を実現・執行することができる。汎用プロセッサはマイクロプロセッサまたはいずれのノーマルプロセッサなどであることができる。本出願に係る実施例により開示された方法のステップを参照すれば、ハードウェアプロセッサにより直接に執行して完成するか、または、プロセッサ内のハードウェアおよびソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に位置されることができる。当該記憶媒体はメモリ９０１に位置し、プロセッサ９００はメモリ９０１内のプログラムを読み出して、そのハードウェアと協働して信号処理フローのステップを完成する。
【０１４２】
そのうち、プロセッサ９００は、メモリ９０１内のプログラムを読み出し、以下のプロセスを実行する。すなわち、前記経路における両側のノードに接続し、両側のノード間でデータを伝送する。
【０１４３】
そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１４４】
好ましくは、前記無線バックホールアクセス局と前記端末とが接続されている場合、前記無線バックホールアクセス局は前記端末と前記有線バックホールアクセス局との間の経路上に位置する。
【０１４５】
好ましくは、前記プロセッサ９００は具体的には、上りデータを受信した場合、前記上りデータを、経路における、前記有線バックホールアクセス局方向の次のノードにある無線バックホールアクセス局または有線バックホールアクセス局に送信する。さらに／或いは、下りデータを受信した場合、前記下りデータを、経路における、前記端末方向の次のノードにある無線バックホールアクセス局または前記端末に送信することに用いられる。
【０１４６】
好ましくは、前記プロセッサ９００は具体的には、受信した前記上りデータに対しＲＬＣ層を通じて順序付けを行った後、経路における前記有線バックホールアクセス局の次のノードに送信し、受信した前記下りデータに対しＲＬＣ層を通じて順序付けを行った後、経路における前記端末方向の次のノードに送信する。
【０１４７】
好ましくは、前記プロセッサ９００は、さらに受信した構成情報により前記経路の両側のノードとの接続を確立する。
【０１４８】
好ましくは、前記プロセッサ９００は、さらに前記経路の両側のノードとの間の経路に対して品質測定を行い、前記品質測定結果に基づき品質が劣化条件に達したと確定した場合、前記有線バックホールアクセス局に報告する。
【０１４９】
図１０に示すように、本出願の実施例に係る第２種の端末は、ベアラに対応する少なくとも１つの経路を介して有線バックホールアクセス局に接続する第１の接続モジュール１０００と、前記少なくとも１つの経路を介して前記有線バックホールアクセス局との間でデータを伝送する第１の伝送モジュール１００１と、を含み、そのうち、いずれの経路に少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１５０】
好ましくは、前記端末のＰＤＣＰ層は前記有線バックホールアクセス局のＰＤＣＰ層と同等である。
【０１５１】
好ましくは、前記第１の伝送モジュール１００１は、さらに前記ＰＤＣＰを通じて経路分散操作を行う。
【０１５２】
好ましくは、前記第１の接続モジュール１０００が少なくとも２つの経路を介して有線バックホールアクセス局に接続する場合、前記第１の接続モジュール１０００は１つの無線バックホールアクセス局に接続し、前記無線バックホールアクセス局に接続された少なくとも２つの経路を介して前記有線バックホールアクセス局に接続する。さらに／或いは、前記第１の接続モジュール１０００が少なくとも２つの経路を介して有線バックホールアクセス局に接続する場合、前記第１の接続モジュール１０００は少なくとも２つの無線バックホールアクセス局に接続し、各前記無線バックホールアクセス局に接続された少なくとも１つの経路を介して前記有線バックホールアクセス局に接続する。
【０１５３】
好ましくは、前記有線バックホールアクセス局はプライマリ有線バックホールアクセス局およびセカンダリ有線バックホールアクセス局を含み、前記端末のＰＤＣＰ層は前記プライマリ有線バックホールアクセス局のＰＤＣＰ層と同等である。
【０１５４】
好ましくは、前記第１の伝送モジュール１００１は、さらに以下のプロセスの一部または総てを実行する。
【０１５５】
プロセスにおいて、自身に接続された少なくとも１つの無線バックホールアクセス局との間の経路に対してリンク測定を行い、前記リンク測定の結果を、接続された無線バックホールアクセス局に報告する。
【０１５６】
プロセス２において、自身に接続された少なくとも１つの無線バックホールアクセス局との間の経路に対して品質測定を行い、前記品質測定結果に基づき品質が劣化条件に達したと確定した場合、前記有線バックホールアクセス局に報告する。
【０１５７】
プロセス３において、経路を備えたＲＬＣ伝送が最大再送回数に達した場合、前記有線バックホールアクセス局に報告する。
【０１５８】
好ましくは、前記第１の接続モジュール１０００はさらに、接続された有線バックホールアクセス局に変化が発生した場合、ハンドオーバプロセスを行い、ＰＤＣＰ層および下位層プロトコルの組み合わせに対してｒｅ−ｅｓｔａｂｌｉｓｈプロセスを行うか、または、接続された有線バックホールアクセス局に変化が発生していない場合、ＰＤＣＰ層に対するＰＤＣＰ  ｄａｔａ  ｒｅｃｏｖｅｒｙプロセス及び／又は下位層プロトコルの組み合わせに対するｒｅ−ｅｓｔａｂｌｉｓｈプロセス行う。
【０１５９】
図１１に示すように、本出願の実施例に係る第２種の有線バックホールアクセス局は、ベアラに対応する少なくとも１つの経路を介して端末に接続する第２の接続モジュール１１００と、前記少なくとも１つの経路を介して前記端末との間でデータを伝送する第２の伝送モジュール１１０１と、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１６０】
好ましくは、前記有線バックホールアクセス局がプライマリ有線バックホールアクセス局である場合、前記端末のＰＤＣＰ層は前記プライマリ有線バックホールアクセス局のＰＤＣＰ層と同等である。
【０１６１】
好ましくは、前記第２の接続モジュール１１００はさらに、それぞれ前記端末および前記端末との間の経路上の無線バックホールアクセス局に構成情報を送信するか、或いは、前記端末との間の経路上の無線バックホールアクセス局に変化が発生した場合、新しい無線バックホールアクセス局に構成情報を送信し、新しい無線バックホールアクセス局に接続された端末及び／又は無線バックホールアクセス局に構成情報を送信する。
【０１６２】
好ましくは、前記第２の接続モジュール１１００はさらに、前記端末または前記無線バックホールアクセス局から前記品質測定結果に基づき品質が劣化条件に達したと確定・報告する情報を受信した場合、前記端末との間の経路を再構成するかまたは劣化条件を満たす経路を開放し、さらに／或いは、前記端末から経路を備えたＲＬＣ伝送が最大再送回数に達したと報告された場合、前記端末との間の経路を再構成するかまたはＲＬＣ伝送が最大再送回数に達した経路を開放する。
【０１６３】
好ましくは、前記第２の接続モジュール１１００はさらに、前記端末に接続された経路上の無線バックホールアクセス局に変化が発生したと確定した場合、ベアラに対応する少なくとも１つの経路を介して端末に接続する。
【０１６４】
図１２に示すように、本出願の実施例に係る第２種の無線バックホールアクセス局は端末と有線バックホールアクセス局との間の経路に位置し、前記無線バックホールアクセス局は、前記経路の両側のノードに接続する第３の接続モジュール１２００と、両側のノードとの間でデータを伝送する第３の伝送モジュール１２０１と、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１６５】
好ましくは、前記無線バックホールアクセス局が前記端末に接続する場合、前記無線バックホールアクセス局は端末と有線バックホールアクセス局との間の少なくとも１つの経路上に位置する。
【０１６６】
好ましくは、前記第３の伝送モジュール１２０１は具体的には、上りデータを受信した場合、前記上りデータを、経路における前記有線バックホールアクセス局方向の次のノードである無線バックホールアクセス局または有線バックホールアクセス局に送信し、さらに／或いは、下りデータを受信した場合、前記下りデータを、経路における前記端末方向の次のノードである無線バックホールアクセス局または前記端末に送信する。
【０１６７】
好ましくは、前記第３の伝送モジュール１２０１は具体的には、受信した前記上りデータに対しＲＬＣ層を通じて順序付けを行った後、経路上の前記有線バックホールアクセス局方向の次のノードに送信し、受信した前記下りデータにＲＬＣ層を通じて順序付けを行った後、経路上の前記端末方向の次のノードに送信する。
【０１６８】
好ましくは、前記第３の接続モジュール１２００はさらに、受信した構成情報に基づき前記経路の両側のノードとの接続を確立する。
【０１６９】
好ましくは、前記第３の接続モジュール１２００はさらに、前記経路の両側のノードとの間の経路に対して品質測定を行い、前記品質測定結果に基づき品質が劣化条件に達したと確定した場合、前記有線バックホールアクセス局に報告する。
【０１７０】
本出願の実施例はコンピュータ記憶媒体を提供し、当該コンピュータ記憶媒体は不揮発性記憶媒体であり、コンピュータプログラムが格納されており、当該プログラムがプロセッサにより実行される時、上記端末側が無線バックホールネットワークを介してデータを伝送する方法を実現する。
【０１７１】
本出願の実施例はコンピュータ記憶媒体を提供し、当該コンピュータ記憶媒体は不揮発性記憶媒体であり、コンピュータプログラムが格納されており、当該プログラムがプロセッサにより実行される時、上記有線バックホールアクセス局側が無線バックホールネットワークを介してデータを伝送する方法を実現する。
【０１７２】
本出願の実施例はコンピュータ記憶媒体を提供し、当該コンピュータ記憶媒体は不揮発性記憶媒体であり、コンピュータプログラムが格納されており、当該プログラムがプロセッサにより実行される時、上記無線バックホールアクセス局側が無線バックホールネットワークを介してデータを伝送する方法を実現する。
【０１７３】
同じ発明思想に基づいて、本出願に係る実施例はさらに端末側が無線バックホールネットワークを介してデータを伝送する方法を提供し、当該方法に対応する装置は本出願の実施例に係る無線バックホールネットワークを介してデータを伝送するシステムにおける端末であり、また当該方法による問題解決の原理は当該装置に類似するため、当該方法の実施はシステムの実施を参照すればよく、ここでは重複して説明しない。
【０１７４】
図１３に示すように、本出願の実施例に係る端末側が無線バックホールネットワークを介してデータを伝送する方法は、端末はベアラに対応する少なくとも１つの経路を介して有線バックホールアクセス局に接続するステップ１３００と、前記少なくとも１つの経路を介して前記有線バックホールアクセス局との間でデータを伝送するステップ１３０１とを含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１７５】
好ましくは、前記端末のＰＤＣＰ層は前記有線バックホールアクセス局のＰＤＣＰ層と同等である。
【０１７６】
好ましくは、前記端末が前記少なくとも１つの経路を介して前記有線バックホールアクセス局との間でデータを伝送することは、さらに前記端末が前記ＰＤＣＰを通じて経路分散操作を行うことを含む。
【０１７７】
好ましくは、前記端末が少なくとも２つの経路を介して有線バックホールアクセス局に接続する場合、前記端末は１つの無線バックホールアクセス局に接続し、前記無線バックホールアクセス局に接続された少なくとも２つの経路を介して前記有線バックホールアクセス局に接続し、さらに／或いは、前記端末が少なくとも２つの経路を介して有線バックホールアクセス局に接続する場合、前記端末は少なくとも２つの無線バックホールアクセス局に接続し、各前記無線バックホールアクセス局に接続された少なくとも１つの経路を介して前記有線バックホールアクセス局に接続する。
【０１７８】
好ましくは、前記有線バックホールアクセス局はプライマリ有線バックホールアクセス局およびセカンダリ有線バックホールアクセス局を含み、前記端末のＰＤＣＰ層は前記プライマリ有線バックホールアクセス局のＰＤＣＰ層と同等である。
【０１７９】
好ましくは、前記端末は少なくとも１つの経路を介して有線バックホールアクセス局に接続した後、以下のプロセスのうちの一部または総てを実行する。
【０１８０】
プロセス１において、前記端末は自身に接続された少なくとも１つの無線バックホールアクセス局との間の経路に対してリンク測定を行い、前記リンク測定の結果を、接続された無線バックホールアクセス局に報告する。
【０１８１】
プロセス２において、前記端末は自身に接続された少なくとも１つの無線バックホールアクセス局との間の経路に対して品質測定を行い、前記品質測定結果に基づき品質が劣化条件に達したと確定した場合、前記有線バックホールアクセス局に報告する。
【０１８２】
プロセス３において、前記端末は経路を備えたＲＬＣ伝送が最大再送回数に達した場合、前記有線バックホールアクセス局に報告する。
【０１８３】
好ましくは、前記端末が少なくとも１つの経路を介して有線バックホールアクセス局に接続した後、さらに、前記端末は接続された有線バックホールアクセス局に変化が発生した場合、ハンドオーバプロセスを行い、ＰＤＣＰ層および下位層プロトコルの組み合わせに対してｒｅ−ｅｓｔａｂｌｉｓｈプロセスを行い、さらにセキュリティ操作およびヘッダ圧縮に対してリセット処理を行う。或いは、前記端末が接続された有線バックホールアクセス局に変化が発生していない場合、ＰＤＣＰ層に対してＰＤＣＰ  ｄａｔａ  ｒｅｃｏｖｅｒｙプロセスを行い、及び／又は下位層プロトコルの組み合わせに対してｒｅ−ｅｓｔａｂｌｉｓｈプロセス行うことを含む。
【０１８４】
同じ発明思想に基づいて、本出願に係る実施例はさらに有線バックホールアクセス局側が無線バックホールネットワークを介してデータを伝送する方法を提供し、当該方法に対応する装置は本出願の実施例に係る無線バックホールネットワークを介してデータを伝送するシステムにおける有線バックホールアクセス局であり、また当該方法による問題解決の原理は当該装置に類似するため、当該方法の実施はシステムの実施を参照すればよく、ここでは重複して説明しない。
【０１８５】
図１４に示すように、本出願の実施例に係る有線バックホールアクセス局側が無線バックホールネットワークを介してデータを伝送する方法は、有線バックホールアクセス局がベアラに対応する少なくとも１つの経路を介して端末に接続するステップ１４００と、前記有線バックホールアクセス局が前記少なくとも１つの経路を介して前記端末との間でデータを伝送するステップ１４０１と、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１８６】
好ましくは、前記有線バックホールアクセス局がプライマリ有線バックホールアクセス局である場合、前記端末のＰＤＣＰ層は前記プライマリ有線バックホールアクセス局のＰＤＣＰ層と同等である。
【０１８７】
好ましくは、前記有線バックホールアクセス局がベアラに対応する少なくとも１つの経路を介して端末に接続する前に、さらに、前記有線バックホールアクセス局はそれぞれ前記端末および前記端末との間の経路上の無線バックホールアクセス局に構成情報を送信するか、または、前記有線バックホールアクセス局が前記端末との間の経路上の無線バックホールアクセス局に変化が発生したと確定した場合、新しい無線バックホールアクセス局に構成情報を送信し、新しい無線バックホールアクセス局に接続された端末及び／又は無線バックホールアクセス局に構成情報を送信する。
【０１８８】
好ましくは、前記有線バックホールアクセス局がベアラに対応する少なくとも１つの経路を介して端末に接続した後、さらに、前記有線バックホールアクセス局は前記端末または前記無線バックホールアクセス局から前記品質測定結果に基づき品質が劣化条件に達したと確定・報告する情報を受信した場合、前記端末との間の経路を再構成するか、または劣化条件に達した経路を開放する。さらに／或いは前記有線バックホールアクセス局は前記端末から経路を備えたＲＬＣ伝送が最大再送回数に達したと報告された場合、前記端末との間の経路を再構成するか、またはＲＬＣ伝送が最大再送回数に達した経路を開放する。
【０１８９】
好ましくは、前記有線バックホールアクセス局がベアラに対応する少なくとも１つの経路を介して端末に接続する前に、さらに、前記有線バックホールアクセス局は前記端末に接続された経路上の無線バックホールアクセス局に変化が発生したと確定する。
【０１９０】
同じ発明思想に基づいて、本出願に係る実施例はさらに無線バックホールアクセス局が無線バックホールネットワークを介してデータを伝送する方法を提供し、当該方法に対応する装置は本出願の実施例に係る無線バックホールネットワークを介してデータを伝送するシステムにおける無線バックホールアクセス局であり、また当該方法による問題解決の原理は当該装置に類似するため、当該方法の実施はシステムの実施を参照すればよく、ここでは重複して説明しない。
【０１９１】
図１５に示すように、本出願の実施例に係る無線バックホールアクセス局側が無線バックホールネットワークを介してデータを伝送する方法は、端末と有線バックホールアクセス局との間の経路に位置する無線バックホールアクセス局が前記経路の両側のノードに接続するステップ１５００と、前記無線バックホールアクセス局が両側のノード間でデータを伝送するステップ１５０１と、を含み、そのうち、いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む。
【０１９２】
好ましくは、前記無線バックホールアクセス局が前記端末に接続する場合、前記無線バックホールアクセス局は末と有線バックホールアクセス局との間の少なくとも１つの経路に位置する。
【０１９３】
好ましくは、前記無線バックホールアクセス局が両側のノード間でデータを伝送することは、前記無線バックホールアクセス局が上りデータを受信した場合、前記上りデータを経路における前記有線バックホールアクセス局方向の次のノードである無線バックホールアクセス局または有線バックホールアクセス局に送信すること、及び／又は前記無線バックホールアクセス局が下りデータを受信した場合、前記下りデータを経路における前記端末方向の次のノードである無線バックホールアクセス局または前記端末に送信することを含む。
【０１９４】
好ましくは、前記無線バックホールアクセス局が前記上りデータを経路における前記有線バックホールアクセス局方向の次のノードに送信することは、前記無線バックホールアクセス局が受信した前記上りデータに対しＲＬＣ層を通じて順序付けを行った後、経路における前記有線バックホールアクセス局の次のノードに送信することを含む。
【０１９５】
前記無線バックホールアクセス局が下りデータを受信した場合、前記下りデータを経路における前記端末方向の次のノードに送信することは、前記無線バックホールアクセス局が受信した前記下りデータに対しＲＬＣ層を通じて順序付けを行った後、経路における前記端末方向の次のノードに送信することを含む。
【０１９６】
好ましくは、当該方法はさらに、前記無線バックホールアクセス局が受信した構成情報に基づき前記経路の両側のノードとの接続を確立することを含む。
【０１９７】
好ましくは、当該方法はさらに、前記無線バックホールアクセス局が前記経路の両側のノードとの間の経路に対して品質測定を行い、前記品質測定結果に基づき品質が劣化条件に達したと確定した場合、前記有線バックホールアクセス局に報告することを含む。
【０１９８】
以上は本出願に係る実施形態の方法、装置（システム）、及び／又はコンピュータプログラム製品のブロック及び／又はフロー図により本出願を記述した。理解すべきことは、コンピュータプログラムの指令により、ブロック及び／又はフロー図における１つのブロック、ならびにブロック及び／又はフロー図におけるブロックの結合を実現できる。これらのコンピュータプログラム指令を汎用コンピュータ、専用コンピュータのプロセッサ及び／又は他のプログラミング可能なデータ処理装置に提供することで、マシンを生成し、コンピュータ及び／又は他のプログラミング可能なデータ処理装置によって実行される指令により、ブロック及び／又はフロー図に指定される機能／動作を実現させる方法を作成する。
【０１９９】
それに対応して、本出願はさらにハードウェア及び／又はソフトウェア（ファームウェア、常駐ソフトウェア、マイクロコードなどを含む）によって実施されてもよい。さらに、本出願は媒体中に具現化されたコンピュータ使用可能なプログラムコードを有し、指令実行システムによって又は指令実行システムと組み合わせて利用する、コンピュータ使用可能記憶媒体またはコンピュータ可読記憶媒体上のコンピュータプログラム製品の形態をとり得る。本出願の文脈において、コンピュータ使用可能媒体又はコンピュータ可読媒体は、指令実行システム、装置またはデバイスによって、又は指令実行システム、装置またはデバイスによって利用される、記憶プログラム、通信プログラム、伝送プログラム、又は転送プログラムを含む任意の媒体であってもよい。
【０２００】
無論、当業者であれば、本出願の精神や範囲を逸脱することなく、本出願に様々な修正や変形が可能である。したがって、本出願のこれらの修正や変形が添付の特許請求の範囲とその均等技術の範囲にある限り、本出願もこれらの修正や変形を含むように意図される。
【符号の説明】
【０２０１】
600  端末
601  有線バックホールアクセス局
602  無線バックホールアクセス局
700  プロセッサ
701  メモリ
702  送受信機
800  プロセッサ
801  メモリ
802  送受信機
900  プロセッサ
901  メモリ
902  送受信機
1000  第１の接続モジュール
1001  第１の伝送モジュール
1100  第２の接続モジュール
1101  第２の伝送モジュール
1200  第３の接続モジュール
1201  第３の伝送モジュール
【図１】
2021508978.tif 000003
【図２】
2021508978.tif 000004
【図３】
2021508978.tif 000005
【図４】
2021508978.tif 000006
【図５】
2021508978.tif 000007
【図６】
2021508978.tif 000008
【図７】
2021508978.tif 000009
【図８】
2021508978.tif 000010
【図９】
2021508978.tif 000011
【図１０】
2021508978.tif 000012
【図１１】
2021508978.tif 000013
【図１２】
2021508978.tif 000014
【図１３】
2021508978.tif 000015
【図１４】
2021508978.tif 000016
【図１５】
2021508978.tif 000017
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
端末はベアラに対応する少なくとも１つの経路を介して有線バックホールアクセス局に接続することと、
前記端末は前記少なくとも１つの経路を介して前記有線バックホールアクセス局とデータを伝送することと、を含み、そのうち、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせは無線リンク制御（ＲＬＣ）層、メディアアクセス制御（ＭＡＣ）層および物理層（ＰＨＹ）を含む、
ことを特徴とする無線バックホールネットワークを介してデータを伝送する方法。
【請求項２】
前記端末のパケットデータコンバージェンスプロトコル（ＰＤＣＰ）層は前記有線バックホールアクセス局のＰＤＣＰ層と同等である、
ことを特徴とする請求項１に記載の方法。
【請求項３】
前記端末が少なくとも２つの経路を介して有線バックホールアクセス局に接続する場合、前記端末は１つの無線バックホールアクセス局に接続し、前記無線バックホールアクセス局に接続された少なくとも２つの経路を介して前記有線バックホールアクセス局に接続し、さらに／或いは
前記端末が少なくとも２つの経路を介して有線バックホールアクセス局に接続する場合、前記端末は少なくとも２つの無線バックホールアクセス局に接続し、各前記無線バックホールアクセス局に接続された少なくとも１つの経路を介して前記有線バックホールアクセス局に接続する、
ことを特徴とする請求項１に記載の方法。
【請求項４】
前記端末は少なくとも１つの経路を介して有線バックホールアクセス局に接続した後、
前記端末が自身に接続された少なくとも１つの無線バックホールアクセス局との間の経路に対してリンク測定を行い、前記リンク測定の結果を接続された無線バックホールアクセス局に報告するプロセス１と、
前記端末が自身に接続された少なくとも１つの無線バックホールアクセス局との間の経路に対して品質測定を行い、前記品質測定の結果に基づき品質が劣化条件に達したと確定した場合、前記有線バックホールアクセス局に報告するプロセス２と、
前記端末は経路を備えた無線リンク制御（ＲＬＣ）伝送が最大再送回数に達した場合、前記有線バックホールアクセス局に報告するプロセス３と、のうちの一部または総てを実行する、
ことを特徴とする請求項１から３のいずれかに記載の方法。
【請求項５】
前記端末が少なくとも１つの経路を介して有線バックホールアクセス局に接続した後に、
前記端末は接続された有線バックホールアクセス局に変化が発生した場合、ハンドオーバプロセスを行い、ＰＤＣＰ層および下位層プロトコルの組み合わせに対して再確立（ｒｅ−ｅｓｔａｂｌｉｓｈ）プロセスを行うこと、または
前記端末は接続された有線バックホールアクセス局に変化が発生していない場合、ＰＤＣＰ層に対するＰＤＣＰデータ復旧（ｄａｔａ  ｒｅｃｏｖｅｒｙ）プロセス及び／又は下位層プロトコルの組み合わせに対するｒｅ−ｅｓｔａｂｌｉｓｈプロセスを行うこと、
をさらに含むことを特徴とする請求項１から４のいずれかに記載の方法。
【請求項６】
有線バックホールアクセス局はベアラに対応する少なくとも１つの経路を介して端末に接続することと、
前記有線バックホールアクセス局は前記少なくとも１つの経路を介して前記端末とデータを伝送することと、を含み、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する方法。
【請求項７】
前記有線バックホールアクセス局がベアラに対応する少なくとも１つの経路を介して端末に接続する前に、
前記有線バックホールアクセス局がそれぞれ前記端末および前記端末との間の経路における無線バックホールアクセス局に構成情報を送信すること、または
前記有線バックホールアクセス局は前記端末との間の経路上の無線バックホールアクセス局に変化が発生したと確定した場合、新しい無線バックホールアクセス局に構成情報を送信し、新しい無線バックホールアクセス局に接続された端末及び／又は無線バックホールアクセス局に構成情報を送信すること、
をさらに含むことを特徴とする請求項６に記載の方法。
【請求項８】
前記有線バックホールアクセス局がベアラに対応する少なくとも１つの経路を介して端末に接続した後、
前記有線バックホールアクセス局は、前記端末または前記無線バックホールアクセス局から品質測定結果に基づき品質が劣化条件に達したと確定、報告する情報を受信した場合、前記端末との間の経路を再構成するかまたは劣化条件に達した経路を開放すること、及び／又は
前記有線バックホールアクセス局は前記端末から経路を備えたＲＬＣ伝送が最大再送回数に達したと報告された場合、前記端末との間の経路を再構成するかまたはＲＬＣ伝送が最大再送回数に達した経路を開放すること、
をさらに含むことを特徴とする請求項６に記載の方法。
【請求項９】
端末と有線バックホールアクセス局との間の経路に位置する無線バックホールアクセス局は前記経路の両側のノードと接続することと、
前記無線バックホールアクセス局は両側のノード間でデータを伝送することと、を含み、そのうち、
いずれの経路にも少なくとも１つの無線バックホールアクセス局があり、前記端末、前記有線バックホールアクセス局および前記無線バックホールアクセス局の各エアインターフェースにそれぞれ１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する方法。
【請求項１０】
前記無線バックホールアクセス局が両側のノード間でデータを伝送することは、
前記無線バックホールアクセス局は上りデータを受信した後に、前記上りデータを経路における前記有線バックホールアクセス局方向の次のノードである無線バックホールアクセス局または有線バックホールアクセス局に送信すること、及び／又は
前記無線バックホールアクセス局は下りデータを受信した後に、前記下りデータを経路における前記端末方向の次のノードである無線バックホールアクセス局または前記端末に送信すること、
を含むことを特徴とする請求項９に記載の方法。
【請求項１１】
前記無線バックホールアクセス局が前記上りデータを経路における前記有線バックホールアクセス局の次のノードに送信することは、
前記無線バックホールアクセス局は受信した前記上りデータに対しＲＬＣ層を通じて順序付けを行った後、経路における前記有線バックホールアクセス局の次のノードに送信することを含み、
前記無線バックホールアクセス局が下りデータを受信した後に、前記下りデータを経路における前記端末方向の次のノードに送信することは、
前記無線バックホールアクセス局が受信した前記下りデータに対しＲＬＣ層を通じて順序付けを行った後、経路における前記端末方向の次のノードに送信することを含む、
ことを特徴とする請求項１０に記載の方法。
【請求項１２】
前記無線バックホールアクセス局は前記経路の両側のノードとの間の経路に対して品質測定を行い、前記品質測定結果に基づき品質が劣化条件に達したと確定した場合、前記有線バックホールアクセス局に報告すること、
をさらに含むことを特徴とする請求項９から１１のいずれかに記載の方法。
【請求項１３】
ベアラに対応する少なくとも１つの経路を介して有線バックホールアクセス局に接続する第１の接続モジュールと、
前記少なくとも１つの経路を介して前記有線バックホールアクセス局とデータを伝送する第１の伝送モジュールと、を含み、そのうち、
いずれの経路にも少なくとも１つの無線バックホールアクセス局があり、端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する端末。
【請求項１４】
ベアラに対応する少なくとも１つの経路を介して端末に接続する第２の接続モジュールと、
前記少なくとも１つの経路を介して前記端末とデータを伝送する第２の伝送モジュールと、を含み、そのうち、
いずれの経路にも少なくとも１つの無線バックホールアクセス局があり、前記端末、有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する有線バックホールアクセス局。
【請求項１５】
端末と有線バックホールアクセス局との間の経路に位置し、
前記経路の両側のノードに接続する第３の接続モジュールと、
両側のノード間でデータを伝送する第３の伝送モジュールと、を含み、そのうち、
いずれの経路にも少なくとも１つの無線バックホールアクセス局があり、前記端末、前記有線バックホールアクセス局および前記無線バックホールアクセス局の各エアインターフェースそれぞれに１組の下位層プロトコルの組み合わせが対応し、前記下位層プロトコルの組み合わせはＲＬＣ層、ＭＡＣ層およびＰＨＹを含む、
ことを特徴とする無線バックホールネットワークを介してデータを伝送する無線バックホールアクセス局。
【国際調査報告】
2021508978.tif 000018
2021508978.tif 000019
2021508978.tif 000020
2021508978.tif 000021